(57)【特許請求の範囲】
【請求項１】
平面視で先端並びに後端が共に尖鋭で中間部分が幅広に膨出した肉太部分に形成され、この中間の肉太部分に裁断刃下部が一部分外方に突出しうるようなスリットが形成された分離具を備えると共に、カッター本機への取付け部を備え、分離具は当該取付け部から下方に一体的に垂下連設された支持枠の下端に一体的に取付けられていることを特徴とするカッター用分離装置。
【請求項２】
前記取付け部が、円形リング状で周方向一か所が縁切りされ、その縁切れ端面それぞれから半径方向外方に突出する鍔を備えて成る把持枠と、前記一対の鍔同志にねじ込まれるねじとから構成されている鍔つかみである請求項１記載のカッター用分離装置。
【請求項３】
前記支持枠は鍔つかみの把持枠の周方向で相対向する二箇所から垂下され、それぞれの下端に前記分離具の前・後端の近傍が一体的に取付けられている請求項１又は２のいずれかに記載のカッター用分離装置。
【請求項４】
円形リング状で周方向一か所が縁切りされ、その縁切れ端面それぞれから半径方向外方に突出する鍔を備えて成る把持枠と、前記一対の鍔同士にねじ込まれるねじとから構成されている鍔つかみで構成されるカッター本機への取付け部と、前記鍔つかみの把持枠の周方向で相対向する二箇所から垂下された一対の支持枠と、これら一対の支持枠の下端に前・後端の近傍が一体的に取付けられた分離具とから成り、この分離具は、平面視でその先端並びに後端が共に尖鋭で中間部分が幅広に膨出した肉太部分に形成されていると共に、この中間の肉太部分に裁断刃下部が一部分外方に突出しうるようなスリットが形成されていることを特徴とするカッター用分離装置。
【発明の詳細な説明】
【０００１】
【発明の属する技術分野】
本発明は、例えば紙，プラスチックフィルム，グラスファイバー製シート，アルミ泊及びこれら内の二つ或いはそれ以上を互いに張り合わせた紙様類を円筒形にロール巻きした巻紙を、その巻き芯の軸線方向に沿って裁断するカッターに採用される分離装置に関する。
【０００２】
【従来の技術】
従来、この種のカッターには、一般に図１１，１２に示されるように、機枠（図外）に上下動自在に保持されて、内部に駆動装置を備えた支持枠０１に横支軸回りで回転自在に円盤型の裁断刃０２が保持され、この裁断刃０２をこの裁断刃０２と相対的に走行する被裁断物、つまり円筒形にロール巻きした巻紙０３に当接させ、この巻紙０３と裁断刃０２とを相対的に走行させることと、併せてこの相対的な走行によって得られるこの裁断刃０２の回転を利用してこの巻紙０３の頂部ｔを裁断し、以降裁断刃０２の支持枠０１を機枠に対して少しずつ下降させて裁断深さを順次深めてゆき、最終的には巻紙０３の最下層まで裁断を進めていく手段が採用されていた。
【０００３】
また、裁断刃０２は、これを上下方向に振動させるバイブレータ０４に保持されていて、このバイブレータ０４で裁断刃０２を上下に振動させつつ、その裁断作用の効率を高める手段（バイブレーションローリングカッター）も採用されていた。
【０００４】
そして、以上のようなカッターは、裁断対象物が紙の場合は、図９のＡ，Ｂに示されるように、裁断刃０２の裁断過程において、裁断済の巻紙部分０３１は頂部ｔの切り口０３３に添ってその左右が自然と拡開分離して、未だ裁断されていない巻紙部分０３２から容易に剥離し下方に落下するので、更に深く裁断して行くことが可能となる。
【０００５】
【発明が解決しようとする課題】
ところが、このような従来の巻紙のカッターは、裁断対象物が紙以外の、前記したプラスチックフィルム，グラスファイバー製シート，アルミ泊等の紙様類及びこれら内の二つ或いはそれ以上を互いに張り合わせた積層紙様類等のように静電気によって互いに密着するような特性が備わっているものの場合には、図１０のＡ，Ｂに示されるように、裁断済の巻紙部分０３１は頂部ｔの切り口０３３に添って左右に容易には拡開分離しないため、未だ裁断されていない巻紙部分０３２から容易に剥離しない。従ってそのままの状態で更に深い裁断を試みると、裁断刃０２がこの切り口０３３両側に位置する巻紙部分０３１にかみこんでしまい、裁断刃０２が破損したり、裁断不能に陥り、結果として前記の通りのプラスチックフィルム，グラスファイバー製シート，アルミ泊等の紙様類及びこれら内の二つ或いはそれ以上を互いに張り合わせた積層紙様類等の密着性の高い素材は裁断不可能であると言って過言でなかった。
【０００６】
そこで本発明はこのような従来の巻紙のカッターの問題点を種々検討した結果、少なくとも前記裁断済の巻紙部分並びにこの裁断済の巻紙部分の下近くに位置する未裁断の巻紙部分の静電気の帯電を除去することが必須の要件であること、そして切り口の拡開を導き、裁断済の巻紙部分にこれが落下し易い外的な作用力を働かせる構造的な要件が加味されることが望ましいことを知見し、鋭意検討を重ねて、本発明を開発するに至ったものである。
【０００７】
従って、本発明の主たる目的は、裁断済の巻紙部分の拡開を容易にし、未だ裁断されていない巻紙部分から裁断済の巻紙部分を容易に剥離させて下方に落下させることができ、大変能率の良い裁断が可能となるカッター用分離装置を提供することにある。
【０００８】
また、既存のカッター装置に簡便に装着でき汎用性のあるカッター用分離装置を提供することにある。
【０００９】
更に裁断を一層の能率良く行えるカッター用分離装置を提供することにある。
【００１０】
また、本発明の第２の目的は、前記第１の目的をうまく達成することに加えて、更に構造がシンプルで、カッター本機への取付け構造が簡素で、且つ、簡便に着脱でき、従来から一般に用いられている裁断刃往復動タイプ（図５，６、図１１参照）或いは裁断刃固定タイプ（図７，８参照）等いずれのカッター装置にも簡便に採用でき、汎用性を一層向上できるカッター用分離装置を提供することにある。
【００１１】
また、本発明の第３の目的は、前記第１の目的をうまく達成しながらも、分離具の支持構造を頑丈にして分離性能を一層高めることができるカッター用分離装置を提供することにある。
【００１２】
【００１３】
そして、第４の目的は、裁断済の巻紙部分の拡開を容易にし、未だ裁断されていない巻紙部分から裁断済の巻紙部分を容易に剥離させて下方に落下させることができ、大変能率の良い裁断が可能となり、併せて構造がシンプルで、カッター本機への取付け構造が簡素で、且つ、簡便に着脱でき、従来から一般に用いられている裁断刃往復動タイプ（図５，６、図１１参照）或いは裁断刃固定タイプ（図７，８参照）等いずれのカッター装置にも簡便に採用でき、汎用性を一層向上できるとともに、分離具の支持構造を頑丈にして分離性能を一層高めることができ、しかも裁断済の巻紙部分の分離性能を格段に向上できるカッター用分離装置を提供することにある。
【００１４】
【００１５】
【課題を解決するための手段】
上記の目的を達成するために、本発明は、基本的には、裁断刃の裁断を先行させてこの裁断刃によって裁断されて巻紙の頂部に出来る切り口に、先端尖鋭で後方ほど横外方に膨出する広幅に形成された分離具をその尖鋭端から突入させる手段を講じた。このように進入後方側ほど横太な分離具をカッターの切り口に突入させることによって、切り口で対峙しているこの巻紙の裁断端面を左右に順次押し広げて互いに遠ざけることができ、未裁断部分と既裁断部分とをうまく引き剥がし、併せて下方への落下を助け、しかも静電気もこの分離具を介して本機へアースできるものである。
【００１６】
【発明の実施の形態】
本発明に係るカッター用分離装置は、平面視で先端並びに後端が共に尖鋭で中間部分が幅広に膨出した肉太部分に形成され、この中間の肉太部分に裁断刃下部が一部分外方に突出しうるようなスリットが形成された分離具を備えると共に、カッター本機への取付け部を備え、分離具は当該取付け部から下方に一体的に垂下連設された支持枠の下端に一体的に取付けられていることを特徴とするものである。
【００１７】
以上のように構成された本発明に係るカッター用分離装置は、裁断刃と巻紙とをこの巻紙の軸線方向に沿って相対的に移動させ巻紙の端部から裁断作用を開始すると、前記分離具より下方にやゝ突出した裁断刃の刃部分が、先ず巻紙の頂部に切り込んで行き、巻紙はその最外層から内方に向かってこの裁断刃の分離具から下方に突出した寸法分だけ裁断される。
【００１８】
次いで、裁断刃を５〜１０ｍｍの範囲で適宜に下降させて、再度前記と同様の裁断作用を再開する。この第２回目の裁断作用が開始されると、裁断刃の裁断作用に先立って、前記裁断刃の最初の裁断によって形成された巻紙の切り口に前記分離具がその尖鋭な先端から突入していくこととなり、やゝ遅れて略同時進行的に裁断刃はこの溝の底に位置する下層の紙様類を裁断して行くことになる。この分離具の前記切り口への突入によって、最初に裁断された巻紙部分はその裁断端面がこの分離具の順次的に横外方に広がる膨出部によって押し広げられ互いに離間させる。その結果、裁断された巻紙部分は、下層の未裁断部分の頂部から周面下位側にずり落ちるように偏位され、引き続き、図５のＣに示されるように、重力の働きと自重とによって、横外方斜め下方に落ち込んで行き、未裁断の巻紙部分から簡単に分離落下することになる。
【００１９】
また、分離具が巻紙に接触することによって、巻紙に帯電する静電気をうまくアースさせるように働く。
【００２０】
また、裁断済の巻紙部分の拡開を容易にし、未だ裁断されていない巻紙部分から裁断済の巻紙部分を容易に剥離させて下方に落下させることができ、大変能率の良い裁断が可能となる上に、既存のカッター装置に簡便に装着でき汎用性のあるカッター用分離装置を提供するために、前記の通り、カッター本機への取付け部を備え、分離具が当該取付け部から下方に一体的に垂下連設された支持枠の下端に一体的に取付けられた構成が採用される。
【００２１】
この構成は、前記取付け部を介して前記分離具を既存のカッター装置に装着させ易く働く。
【００２２】
更に、裁断済の巻紙部分の拡開を容易にし、未だ裁断されていない巻紙部分から裁断済の巻紙部分を容易に剥離させて下方に落下させることができ、大変能率の良い裁断が可能となる上に、既存のカッター装置に簡便に装着でき汎用性を持たせることに加えて、更に裁断を一層の能率良く行えるカッター用分離装置を提供するために、前記の通り、分離具が、平面視でその先端並びに後端が共に尖鋭で中間部分が幅広に膨出した肉太部分に形成されていると共に、この中間の肉太部分に前記裁断刃の入り込み用のスリットが形成されている。
【００２３】
この構成により、裁断刃の往動時は前記分離具の一方の尖鋭な先端が巻紙の切り口に突入して前記中間の肉太部分で裁断済の巻紙の裁断端面が押し広げられて互いに分離させてその剥離落下が促進され、逆に裁断刃の復動時には前記分離具の他方の尖鋭な先端が巻紙の次段（下位）の切り口に突入して前記中間の肉太部分で裁断済の巻紙の裁断端面が押し広げられて互いに分離させてその剥離落下が促進されるように働き、裁断刃の往復動いずれにも対応して切り口を拡開させるように働き、裁断効率を高めるように働く。
【００２４】
また、裁断済の巻紙部分の拡開を容易にし、未だ裁断されていない巻紙部分から裁断済の巻紙部分を容易に剥離させて下方に落下させることができ、大変能率の良い裁断が可能となる上に、既存のカッター装置に簡便に装着でき汎用性を持たせることに加えて、構造がシンプルで、カッター本機への取付け構造が簡素で、且つ、簡便に着脱でき、従来から一般に用いられている裁断刃往復動タイプ（図５，６、図１１参照）或いは裁断刃固定タイプ（図７，８参照）等いずれのカッター装置にも簡便に採用でき、汎用性を一層向上できるカッター用分離装置を提供するには、前記取付け部が、円形リング状で周方向一か所が縁切りされ、その縁切れ端面それぞれから半径方向外方に突出する鍔を備えて成る把持枠と、前記一対の鍔同志にねじ込まれるねじとから構成されている、言わば鍔つかみを採用するのが望ましい。
【００２５】
このように構成された場合には、鍔つかみに構成された前記取付け部が、例えば裁断刃の昇降軸の周囲を保持するために裁断刃の支持枠から下方に突出させたボスの周囲等に、単に嵌合させるだけの簡便な作業によって容易に取り付けられるように働き、従来から一般に採用されている裁断刃往復動タイプ（図５，６、図１１参照）或いは裁断刃固定タイプ（図７，８参照）等いずれのカッター装置にも簡便に適用できるように働く。
【００２６】
また、裁断済の巻紙部分の拡開を容易にし、未だ裁断されていない巻紙部分から裁断済の巻紙部分を容易に剥離させて下方に落下させることができ、大変能率の良い裁断が可能となる上に、既存のカッター装置に簡便に装着でき汎用性を持たせることに加えて、分離具の支持構造を頑丈にして分離性能を一層高めることができるカッター用分離装置を提供するには、前記支持枠が鍔つかみの把持枠の周方向で相対向する二箇所から垂下され、それぞれの下端に前記分離具の前・後端の近傍が一体的に取付けられている構成を採用することが望ましい。
【００２７】
このように構成された場合には、前記分離具の前後両端がそれぞれ鍔つかみの把持枠の周方向で相対向する二箇所から垂下された支持枠によってしっかりとした位置規制と頑丈な保持が行われることになり、この分離具の前記切り口への突入時あるいはその後の裁断済の巻紙部分の裁断端面の拡開分離作用時でも、左右に蛇行したりすることなく真っ直ぐに切り口内を進んで、拡開分離性能を格段に高めるように働く。
【００２８】
裁断済の巻紙部分の拡開を容易にし、未だ裁断されていない巻紙部分から裁断済の巻紙部分を容易に剥離させて下方に落下させることができ、大変能率の良い裁断が可能となる上に、既存のカッター装置に簡便に装着でき汎用性を持たせることに加えて、裁断を一層能率良く行え、併せて更に分離性能を高めることができるカッター用分離装置を提供するには、前記分離具は、カッター本機に装着されると、その裁断刃の進行方向側の先端の尖鋭端がこの裁断刃の刃先の進路と同じ直線上に位置するように相対的な位置設定が成されている構成を採用するのが望ましい。
【００２９】
このように構成された場合には、前記分離具の尖鋭な先端と、裁断刃によって巻紙の頂部に形成された切り口との、前記裁断刃と巻紙との相対的に進行方向に対する左右方向のずれをなくして、この尖鋭な先端を切り口に正確に突入させ、且つ、そのまま切り口内を直進させ、拡開分離性能を一層高めるように働く。
【００３０】
そして、裁断済の巻紙部分の拡開を容易にし、未だ裁断されていない巻紙部分から裁断済の巻紙部分を容易に剥離させて下方に落下させることができ、大変能率の良い裁断が可能となり、併せて構造がシンプルで、カッター本機への取付け構造が簡素で、且つ、簡便に着脱でき、従来から一般に用いられている裁断刃往復動タイプ（図５，６、図１１参照）或いは裁断刃固定タイプ（図７，８参照）等いずれのカッター装置にも簡便に採用でき、汎用性を一層向上できるとともに、分離具の支持構造を頑丈にして分離性能を一層高めることができ、しかも裁断済の巻紙部分の分離性能を格段に向上できるカッター用分離装置を提供するには、円形リング状で周方向一か所が縁切りされ、その縁切れ端面それぞれから半径方向外方に突出する鍔を備えて成る把持枠と、前記一対の鍔同志にねじ込まれるねじとから構成されている鍔つかみで構成されるカッター本機への取付け部と、前記鍔つかみの把持枠の周方向で相対向する二箇所から垂下された一対の支持枠と、これら一対の支持枠の下端に前・後端の近傍が一体的に取付けられた分離具とから成り、この分離具は、平面視でその先端並びに後端が共に尖鋭で中間部分が幅広に膨出した肉太部分に形成されていると共に、この中間の肉太部分に前記裁断刃下部が一部分外方に突出しうるようなスリットが形成された構成を採用するのが望ましい。
【００３１】
更に、裁断屑や裁断粉を生じないようにしたり、裁断刃を長持ちさせたりするために、前記裁断刃に、その中心を回転自在に軸支された丸刃を採用することが望ましい。
【００３２】
このように裁断刃に丸刃が採用されることによって、固定のカッターナイフのように切っ先のみが常に一様に巻紙に接触するものと違って、この丸刃は前記巻紙との相対的な走行によって回転されつつ巻紙に作用し、丸刃の周縁が均一に使用されるように働き、片減りをなくすように働く。
【００３３】
【実施例】
以下、本発明の好適な一実施例を、例えば各種印刷現場に使用され、特に使用済みの巻き取り紙様類の解体をするため採用されているバイブレーションローリングカッターに適用された場合について、以下図面に基づいて説明する。
図１乃至図４は本発明に係るカッター用分離装置を示し、図１は全体の概観図、図２は全体の側面図、図３は分離具のみの形状を示す平面図、図４は全体の平面図である。この分離装置１は、図示されるように、上端の取付け部２と、この取付け部の前後対象位置から下方に垂下させた一対の支持枠３と、この両支持枠３の下端に取り付けられた分離具４とから構成されている。
【００３４】
前記取付け部２は、所謂鍔つかみが採用されていて、カッター本機への取り付けが簡便で、かつ、構造が簡素となるように配慮されている。
具体的には、周方向の一か所が縁切りされた円形リング部分２１と、その縁切りされた端面それぞれから半径方向外方に突出する鍔２２を備えて成る把持枠２３と、前記一対の鍔２２同志に嵌合されるボルトとナットとから成るねじ２４とから構成されている。そして、この把持枠２３が、図５，図６或いは図７，図８に示されるように、バイブレーター５から下方に垂下する円盤カッター（丸刃）６の昇降軸７を保持するボス８の周壁に外嵌合されて取り付けられる。
【００３５】
また、前記支持枠３は、前記把持枠２３の前後両側面から下方に向かって一体的に連設垂下されていて、その下端にそれぞれ前記分離具４の前後両端部分の上面が一体的に連設されている。そして、この支持枠３は、この分離装置１が前記円盤カッター６の昇降軸７を保持するボス８の周壁に取り付けられた状態で、図５乃至図８に示されるように、円盤カッター６の下端縁が前記分離具４の下端面から下方にやゝ突出する所定の相対位置が保てるような寸法に設定されている。この円盤カッター６の下端縁の突出寸法は、一般には５〜１５ｍｍの範囲で、好ましくは１０ｍｍ前後であるが、巻紙Ｒの性状等によって適宜選択される。
【００３６】
次に、前記分離具４は、平面視において、前後の両端４１が先端ほど尖鋭に形成されるとともに、それら両先端の間の中間部分４２が前記円盤カッター６の横幅よりも幅広に膨出した肉太部分に形成され、この中間部分４２の肉太部分に前記円盤カッター６の入れ込みスリット４３が形成されている。そして、前記カッター本機、つまり、図例では、前記の通り前記ボス８に装着された際にこの入れ込みスリット４３から前記円盤カッター６の下方周縁が一部分この裁断具４の底面から外方（下方）に突出するように構成されている。突出量は、前記の通り、５〜１５ｍｍの範囲で、好ましくは１０ｍｍ前後であるが、巻紙Ｒの性状等によって適宜選択されるものである。
【００３７】
尚、図１乃至図４において、図中４４はこの分離具の前記中間部分４２の中央で、前記入り込みスリット４３の左右（図上紙面奥行き方向）両側の上面から底面側に向かって所定の寸法で切欠かれた凹部で、前記円盤カッター６の回転支軸を保持するヨーク９下端の入り込みを許し、前記昇降軸７によって上下振動するこのヨーク９の上下動を許容するためのぬすみの役を果たしている。
【００３８】
以上のように構成された本発明に係るカッター用分離装置の具体的な使用例について、図５乃至図８の記載に基づいて、以下説明する。
図５乃至図８に示されるように、前記取付け部２の把持枠２３が前記バイブレーター５のボス８に嵌合され、前記ボルト，ナットから構成されるねじ２４が締めつけられることによって、前記両鍔２２が互いに引き寄せられてこの把持枠２３の径が狭められ、前記ボス８の周壁が締めつけられ、その結果前記分離装置１がこのボス８に取り付けられる。
【００３９】
尚、図５、図６に示されるカッターは、巻紙Ｒが固定的に保持されていて、円盤カッター６がこの巻紙Ｒに対してその軸線方向に沿って往復動できる構造、つまり切断刃往復動タイプになっている。具体的には、水平方向に沿って機枠１０に設けられた上下一対の案内レール１１に案内枠１２が架設されていて、図外駆動装置によって強制的に往復動可能に構成されている。そしてこの案内枠１２に前記円盤カッター６を備えるバイブレーター５が取付けられているとともに、巻紙Ｒは、その巻軸管１３の両端突出部分が保持腕１４に着脱自在で、且つ、固定自在に保持されている。従って、前記円盤カッター６は、前記案内レール１１に沿って強制的に案内されながら往復動しつつ前記巻紙Ｒの頂部ｔをその一端側から一直線に裁断できる。前記案内レール１１は、その案内枠１２共々カッター本機（図外）に対して上下動自在に設けられていて、巻紙Ｒの裁断深さに応じてその上下動寸法を自在に変更調整できるように構成されている。
【００４０】
また、図７，図８に示されるカッターは、固定的に保持された円盤カッター６に対して巻紙Ｒが往復動できる構造、つまり裁断刃固定タイプになっている。具体的には、上下方向に沿って機枠１０に設けられた左右一対の案内レール１１に上下動自在に案内枠１２が架設され、この案内枠１２に前記円盤カッター６を備えるバイブレーター５が取付けられている。従って、円盤カッター６は、往復動はできず、水平方向では定位置に保持される構成となっている。また、前記円盤カッター６の肉厚方向で所定の間隔が設けられているとともに、この円盤カッター６の側面に沿った方向にも所定の間隔を開けて強制的に正逆転される案内ローラ１５群の一対が前記円盤カッター６の下方位置に配置されていて、巻紙Ｒはこれらの案内ローラ１５にその左右を挟まれながら強制的にその軸線方向に往復動できるように構成されている。従って、円盤カッター６は、前記案内ローラ１５によって強制的にその軸線方向に沿って往復動される巻紙の頂部ｔをその一端側から一直線に裁断できる。前記案内枠１２は機枠１０の上部に設けられた手動の上下位置調節ネジ１６によって、巻紙Ｒの裁断深さに応じてその上下動寸法を自在に変更調整できるように構成されている。
【００４１】
次いで、機器を作動させて巻紙Ｒの裁断を行うには、まず、円盤カッター６をその前記分離具４の下面から突出するに足る寸法の範囲内で下降させるとともに、円盤カッター６を巻紙Ｒの一端側にセットする。その後これら円盤カッター６と巻紙Ｒとを相対的に進行させると、円盤カッター６は巻紙Ｒの頂部ｔを前記所定の下降分の深さで一直線に他端側まで進行して、この頂部ｔを前記所定の深さで裁断して行くことになる。
【００４２】
この時、この円盤カッター６は前記バイブレーター５によって上下に振動されながら巻紙Ｒの頂部ｔを裁断し、しかも巻紙Ｒとの相対的な進行によってこの円盤カッター６自身が前記ヨーク９の回転支軸を中心にして回転されることになる。従って、この円盤カッター６により巻紙Ｒは、丁度高速度で押し切りされるように裁断されるので、裁断屑や裁断粉などが発生しなくなって作業環境をより一層健康的に保てる上に、円盤カッター６もその刃縁が回転されながら裁断が進行されることになるので、刃縁が均一に使用されることになり、円盤カッター６の使用寿命が長くなる。
【００４３】
以上の円盤カッター６の最初の往動工程が完了した後、前記巻紙Ｒの他端側で待機している円盤カッター６をその前記分離具４の下面から突出するに足る寸法の範囲内で再び下降させるとともに、この円盤カッター６と巻紙Ｒとを相対的に進行させて、円盤カッター６を巻紙Ｒの他端側から前記一端側に向かって復動させる。この時、前記分離具４の底面は、図５乃至図８に示されるように、巻紙Ｒの頂部ｔよりも下位に位置しているから、この円盤カッター６の復動によって、先に裁断されてできた頂部ｔの切り口１７（図６参照）にこの分離具の尖鋭な先端４１が突入して行き、進行に伴って順次肉太の中間部分４２でこの切り口１７で対峙する裁断済の巻紙部分ｒを互いに離間するように押し広げて行く。このため、裁断された巻紙部分ｒは、図５のＡに示されるように、重力の働きと自重とによって、横外方斜め下方に落ち込んで行き、未裁断の巻紙部分ｒ1 から簡単に分離落下することになる。また、この分離具４の進行に遅れて前記円盤カッター６は巻紙Ｒの次位の層の裁断をこの他端側から前記一端側に向かって並行して行うことになる。
【００４４】
このように、最初の裁断による切り口１７を分離具４で押し広げながら、裁断済みの巻紙部分ｒを下方に分離落下させるとともに、円盤カッター６で巻紙Ｒの次位の層の裁断を行う復動工程が終了すると、再び円盤カッター６をその前記分離具４の下面から突出するに足る寸法の範囲内で再び下降させるとともに、この円盤カッター６と巻紙Ｒとを相対的に進行させて、前記と同様に巻紙Ｒの一端側から他端側に円盤カッター６を往動させると、分離具４が前記次層に形成された切り口１７１（図５のＣ参照）に突入して行ってこの切り口１７を分離具４で押し広げながら、次位の層の裁断済みの巻紙部分を下方に分離落下させるとともに、円盤カッター６では三次の層の裁断が行われることとなる。このような円盤カッター６と巻紙Ｒとの相対的な往復動を複数回行うことによって、最終的に巻紙Ｒをその最下層まで裁断することができる。
【００４５】
尚、最下層の内側には前記巻管軸が存在するが、これが紙製である場合には、円盤カッター６を下降させて、この巻管軸も裁断することによって、最下層の巻紙部分にも前記分離具４を作用させることができるので、人手を要さず能率よく巻紙の裁断ができる。また、この巻管軸が円盤カッター６では裁断できない素材である場合には、円盤カッター６で最下層の巻紙部分を裁断するに止め、巻管軸からのこの最下層の巻紙部分の分離は必要に応じて人手で行えば良いので、裁断効率の上でさほど大きな開きはなく、前記の場合と同様の効果を期待できる。
【００４６】
また、図例においては、裁断刃として円盤カッターを示したが、これに代えて、図示しないが、カッターナイフ形状の裁断刃を採用でき、前記ヨーク９に着脱自在に保持させて使用できる。但し、カッターナイフを採用するに当たっては、片刃と諸刃との両タイプを採用できるが、片刃の場合には、前記円盤カッターや諸刃のカッターナイフと違って、巻紙との相対的な往復動の動きには馴染まず、片側方向の進行時のみに裁断と切り口の拡開作用とが行われることになる。従って、また、この片刃の裁断刃を採用する場合には、前記分離具４も前後両端にそれぞれ尖鋭の先端を備える必要がなく、片刃の刃縁のある側のみにこの尖鋭な先端を備えさせればよく、またこの分離具４を支持するための前記支持枠３も一本で賄える。更に、この分離具４の中間部分４２の凹部４４も不要であるから、現実には平面視において三角形状の形態を呈する構成であれば、所期の目的を充分に達成できる。尚、前記裁断刃に、その中心を回転自在に軸支された丸刃を採用した場合には、固定のカッターナイフのように切っ先のみが常に一様に巻紙に接触するものと違って、この丸刃は前記巻紙との相対的な走行によって回転されつつ巻紙に作用し、丸刃の周縁が均一に使用されるように働き、片減りをなくすことができ、裁断屑や裁断粉を生じないようにしたり、裁断刃を長持ちさせたりすることができる。
【００４７】
【発明の効果】
本発明は、以上説明したような形態で実施され、以下に記載されるような効果を奏する。
【００４８】
平面視で先端が尖鋭で後方側ほど幅広に膨出する形状の分離具であるから、裁断刃の下端よりもやゝ上方に位置するように位置決めされ、かつ、前記尖鋭な先端が前記裁断刃の進行方向の前方に位置して配置することによって、この裁断刃によって先行して巻紙の頂部に形成される切り口に、その端部から順次前記尖鋭端部が突入して行けることとなり、先の行程で裁断された巻紙頂部の切り口にこの分離具を突入させ、引き続き進入後方側ほど横太な部分によってこの切り口で対峙しているこの巻紙の裁断端面を左右に順次押し広げて互いに遠ざけることができ、未裁断部分と既裁断部分とをうまく引き剥がし、併せて下方への落下を助けることができるから、たとえ密着性のある素材からなる巻紙であっても、既裁断部分を未裁断部分から簡便に分離、落下させることができ、従来のカッター装置に比べて、裁断効率を格段に向上できるようになった。また、分離具を介して巻紙部分に帯電する静電気を本機側にうまくアースさせることができ、未裁断部分からの既裁断部分の分離が一層楽に行える。
【００４９】
加えて、下方に一体的に垂下連設された支持枠の下端に前記分離具が一体的に取付けられていて、この支持枠がカッター本機への取付け部を一体的に備えるように構成されていることによって、前記取付け部を介して前記分離具を既存のカッター装置に容易に装着できるので、前記の通りの裁断済の巻紙部分の拡開を容易にし、未だ裁断されていない巻紙部分から裁断済の巻紙部分を容易に剥離させて下方に落下させることができ、大変能率の良い裁断が可能となる所期の目的をうまく達成しながら、汎用性のあるカッター用分離装置を提供できる。
【００５０】
更に加えて、前記分離具は、平面視でその先端並びに後端が共に尖鋭で中間部分が幅広に膨出した肉太部分に形成されていると共に、この中間の肉太部分に裁断刃の入り込み用のリットが形成されていることによって、裁断刃の往復動いずれにも対応して切り口を拡開させるように働き、裁断効率を高めることができるので、前記の通りの裁断済の巻紙部分の拡開を容易にし、未だ裁断されていない巻紙部分から裁断済の巻紙部分を容易に剥離させて下方に落下させることができ、大変能率の良い裁断が可能となる上に、既存のカッター装置に簡便に装着でき汎用性を持たせると言う所期の目的をうまく達成しにながら、更に裁断を一層の能率良く行えるカッター用分離装置を提供できる。
【００５１】
また、請求項２に記載のように、前記取付け部が、円形リング状で周方向一か所が縁切りされ、その縁切れ端面それぞれから半径方向外方に突出する鍔を備えて成る把持枠と、前記一対の鍔同志にねじ込まれるねじとから構成されている、言わば鍔つかみを採用することによって、鍔つかみに構成された前記取付け部が、例えば裁断刃の昇降軸の周囲を保持するために支持枠から下方に突出させたボスの周囲等に、単に嵌合させるだけの簡便な作業によって容易に取り付けられるように働き、従来から一般に採用されているバイブレーションローリングカッター等にも簡便に適用できるので、前記の通りの裁断済の巻紙部分の拡開を容易にし、未だ裁断されていない巻紙部分から裁断済の巻紙部分を容易に剥離させて下方に落下させることができ、大変能率の良い裁断が可能となる上に、既存のカッター装置に簡便に装着でき汎用性を持たせることに加えて、構造がシンプルで、カッター本機への取付け構造が簡素で、且つ、簡便に着脱でき、従来から一般に用いられているカッター装置（図５乃至８、図１１参照）にも一層簡便に採用でき、汎用性を一層向上できるカッター用分離装置を提供することができる。
【００５２】
また、請求項３に記載のように、前記支持枠は鍔つかみの把持枠の周方向で相対向する二箇所から垂下され、それぞれの下端に前記分離具の前・後端の近傍が一体的に取付けられている構成を採用することによって、前記分離具の前後両端がそれぞれ鍔つかみの把持枠の周方向で相対向する二箇所から垂下され支持枠によってしっかりとした位置規制と頑丈な保持が行われて、この分離具の前記切り口への突入時あるいはその後の裁断済の巻紙部分の裁断端面の拡開分離作用時でも、左右に蛇行したりすることなく真っ直ぐに切り口内を進んで、拡開分離性能を格段に高めることができるから、前記の通りの裁断済の巻紙部分の拡開を容易にし、未だ裁断されていない巻紙部分から裁断済の巻紙部分を容易に剥離させて下方に落下させることができ、大変能率の良い裁断が可能となる上に、既存のカッター装置に簡便に装着でき汎用性を持たせることに加えて、分離具の支持構造を頑丈にして分離性能を一層高めることができるカッター用分離装置を提供することができる。
【００５３】
尚、前記分離具は、カッター本機に装着されると、その裁断刃の進行方向側の先端の尖鋭端がこの裁断刃の刃先の進路と同じ直線上に位置するように相対的な位置設定が成されることによって、前記分離具の尖鋭な先端と、裁断刃によって巻紙の頂部に形成された切り口との、前記裁断刃と巻紙との相対的に進行方向に対する左右方向のずれをなくして、この尖鋭な先端を切り口に正確に突入させ、拡開分離性能を一層高めることができるから、前記の通りの裁断済の巻紙部分の拡開を容易にし、未だ裁断されていない巻紙部分から裁断済の巻紙部分を容易に剥離させて下方に落下させることができ、大変能率の良い裁断が可能となる上に、既存のカッター装置に簡便に装着でき汎用性を持たせることに加えて、裁断を一層の能率良く行え、併せて更に分離性能を高めることができるカッター用分離装置を提供することができる。
【００５４】
そして、請求項４に記載のように、円形リング状で周方向一か所が縁切りされ、その縁切れ端面それぞれから半径方向外方に突出する鍔を備えて成る把持枠と、前記一対の鍔同志にねじ込まれるねじとから構成されている鍔つかみで構成されるカッター本機への取付け部と、前記鍔つかみの把持枠の周方向で相対向する二箇所から垂下された一対の支持枠と、これら一対の支持枠の下端に前・後端の近傍が一体的に取付けられた分離具とから成り、この分離具は、平面視でその先端並びに後端が共に尖鋭で中間部分が幅広に膨出した肉太部分に形成されていると共にこの中間の肉太部分に前記裁断刃の入り込み用のスリットが形成されていることによって、前記実施例に記載の通りの、以下に記す格別効果を奏する。
つまり、未裁断部分と既裁断部分とをうまく引き剥がし、併せて下方への落下を助けることができるから、たとえ密着性のある素材からなる巻紙であっても、既裁断部分を未裁断部分から簡便に分離、落下させることができ、従来のカッター装置に比べて、裁断効率を格段に向上できる。また、分離具を介して巻紙部分に帯電する静電気を本機側にうまくアースさせることができる。更に、裁断部分からの既裁断部分の分離が一層楽に行え、汎用性があり、しかも裁断を一層能率良く行え、構造もシンプルで、カッター本機への取付け構造が簡素で、且つ、簡便に着脱でき、従来から一般に用いられているカッター装置（図５乃至８、図１１参照）にも一層簡便に採用でき、汎用性を一層向上できる。分離具の支持構造を頑丈にして分離性能を一層高めることができ、併せて分離性能を格段に高めることができる。
【００５５】
【図面の簡単な説明】
【図１】  本発明に係るカッター用分離装置の実施例を示す全体の概観図である。
【図２】  本発明に係るカッター用分離装置の実施例を示す全体側面図である。
【図３】  本発明に係るカッター用分離装置の実施例を示し、分離具部分の全体平面図である。
【図４】  本発明に係るカッター用分離装置の実施例を示す全体平面図である。
【図５】  本発明に係るカッター用分離装置の使用例を示し、作用の説明図で、Ａ及びＣは要部の一部切欠き正面図、また、Ｂは要部の拡大正面図である。
【図６】  本発明に係るカッター用分離装置の使用例を示し、円盤カッターが往復動できる場合の要部の説明図で、Ａはその全体的な側面図、Ｂはその要部の拡大側面図である。
【図７】  本発明に係るカッター用分離装置の使用例を示し、円盤カッターが固定式の場合の要部の説明図である。
【図８】  本発明に係るカッター用分離装置の使用例を示し、円盤カッターが固定式の場合の要部の説明図で、図７に示される構造の要部の拡大図である。
【図９】  従来の装置で紙を裁断する場合の作用の説明図である。
【図１０】  従来の装置で密着性のある紙様類を裁断する場合の作用の説明図である。
【図１１】  従来の装置の要部の側面図である。
【図１２】  従来の装置を示し、図１１に示される装置の要部の正面図である。
【符号の説明】
１…分離装置、２…取付け部、２１…円形リング部分、２２…鍔、２３…把持枠、２３…ねじ、３…支持枠、４…分離具、４１…尖鋭な先端、４２…肉太の中間部分、４３…スリット、６…裁断刃、１７…切り口、Ｒ…巻紙、ｒ…既裁断部分、ｒ1 …未裁断部分、ｔ…頂部。
【図１】
0004142752.tif 000002
【図２】
0004142752.tif 000003
【図３】
0004142752.tif 000004
【図４】
0004142752.tif 000005
【図５】
0004142752.tif 000006
【図６】
0004142752.tif 000007
【図７】
0004142752.tif 000008
【図８】
0004142752.tif 000009
【図９】
0004142752.tif 000010
【図１０】
0004142752.tif 000011
【図１１】
0004142752.tif 000012
【図１２】
0004142752.tif 000013